(57)【要約】【課題】視聴したい番組を探し出すのが視聴者にとってより容易となる放送信号受信装置、放送信号受信方法、およびプログラムを提供すること。【解決手段】放送信号受信装置１は、視聴者により視聴選択されているチャンネル以外の放送信号を受信してＴＳデータを取得する要約データ用チューナー部２１と、要約データ用チューナー部２１により取得されたＴＳデータに基づいて、特徴的な静止画と字幕と特徴的なデータ放送情報とを抽出し、これらを組み合わせて要約データを生成する要約データ生成部２３と、を備える。【選択図】図１
2012216974.tif 000002
【特許請求の範囲】
【請求項１】
映像データおよび字幕データを含んで構成される放送信号を受信する放送信号受信装置であって、
前記放送信号を受信する１つ以上の表示用受信手段と、
前記放送信号を受信する１つ以上の要約データ用受信手段と、
前記表示用受信手段により受信された放送信号に基づいて、表示手段に画像を表示させる表示制御手段と、
前記要約データ用受信手段により受信された放送信号から、映像データおよび字幕データを取得するデータ取得手段と、
前記データ取得手段により取得された映像データのうち少なくとも一部を抽出するとともに、当該データ取得手段により取得された字幕データのうち少なくとも一部を抽出して、当該抽出した映像データと、当該抽出した字幕データと、を組み合わせて要約データを生成する要約データ生成手段と、を備えることを特徴とする放送信号受信装置。
【請求項２】
前記放送信号は、前記映像データおよび前記字幕データに加えて、当該映像データに関連する関連情報データを含んで構成され、
前記データ取得手段は、前記要約データ用受信手段により受信された放送信号から、映像データおよび字幕データに加えて関連情報データを取得し、
前記要約データ生成手段は、前記映像データおよび前記字幕データに加えて、前記データ取得手段により取得された関連情報データのうち少なくとも一部を抽出して、当該映像データと、当該字幕データと、当該抽出した関連情報データと、を組み合わせて要約データを生成することを特徴とする請求項１に記載の放送信号受信装置。
【請求項３】
前記放送信号は、複数のチャンネルのそれぞれごとに異なっており、
前記要約データ用受信手段は、前記表示用受信手段により受信されている放送信号とはチャンネルの異なる放送信号を受信することを特徴とする請求項１または２に記載の放送信号受信装置。
【請求項４】
前記放送信号は、複数のチャンネルのそれぞれごとに異なっており、
前記要約データ用受信手段は、受信する放送信号のチャンネルを順次変更することを特徴とする請求項１から３のいずれかに記載の放送信号受信装置。
【請求項５】
前記要約データ生成手段は、予め定められたタイミングで、前記データ取得手段により取得された映像データから静止画を抽出することを特徴とする請求項１から４のいずれかに記載の放送信号受信装置。
【請求項６】
映像データおよび字幕データを含んで構成される放送信号を受信する放送信号受信方法であって、
前記放送信号を受信する第１のステップと、
前記放送信号を受信する第２のステップと、
前記第１のステップにおいて受信した放送信号に基づいて、表示手段に画像を表示させる第３のステップと、
前記第２のステップにおいて受信した放送信号から、映像データおよび字幕データを取得する第４のステップと、
前記第４のステップにおいて取得した映像データのうち少なくとも一部を抽出するとともに、当該第４のステップにおいて取得した字幕データのうち少なくとも一部を抽出して、当該抽出した映像データと、当該抽出した字幕データと、を組み合わせて要約データを生成する第５のステップと、を備えることを特徴とする放送信号受信方法。
【請求項７】
映像データおよび字幕データを含んで構成される放送信号を受信する放送信号受信方法を、コンピュータに実行させるためのプログラムであって、
前記放送信号を受信する第１のステップと、
前記放送信号を受信する第２のステップと、
前記第１のステップにおいて受信した放送信号に基づいて、表示手段に画像を表示させる第３のステップと、
前記第２のステップにおいて受信した放送信号から、映像データおよび字幕データを取得する第４のステップと、
前記第４のステップにおいて取得した映像データのうち少なくとも一部を抽出するとともに、当該第４のステップにおいて取得した字幕データのうち少なくとも一部を抽出して、当該抽出した映像データと、当該抽出した字幕データと、を組み合わせて要約データを生成する第５のステップと、をコンピュータに実行させるためのプログラム。
【発明の詳細な説明】
【技術分野】
【０００１】
本発明は、放送信号受信装置、放送信号受信方法、およびプログラムに関する。
【背景技術】
【０００２】
従来より、地上デジタル放送や、ＢＳ（Ｂｒｏａｄｃａｓｔ  Ｓａｔｅｌｌｉｔｅ）放送や、ＣＳ（Ｃｏｍｍｕｎｉｃａｔｉｏｎ  Ｓａｔｅｌｌｉｔｅ）放送などの放送信号を受信して、受信した放送信号に応じた番組の画像を表示画面に表示させる放送信号受信装置が普及している。
【０００３】
視聴者は、テレビのチャンネルを頻繁に切り替えるザッピング操作を行うことにより、現在放送中の番組の中から、自分の嗜好により適合した番組を探し出すことができる。ところが、デジタル放送におけるチャンネルの切り替え時間は最大数秒と、従来のアナログ放送よりも長く、また、近年チャンネル数が増加しているため、視聴したい番組を探し出すのが視聴者にとって難しい場合があった。
【０００４】
そこで、放送されている番組の静止画を、チャンネルごとに順次取得する放送信号受信装置が提案されている（例えば、特許文献１参照）。この放送信号受信装置によれば、視聴者は、取得されている静止画を確認することで、各チャンネルで放送されている番組を認識することができるので、視聴したい番組を探し出しやすくなる。
【先行技術文献】
【特許文献】
【０００５】
【特許文献１】特開２００３−８７６６８号公報
【発明の概要】
【発明が解決しようとする課題】
【０００６】
ところが、視聴したい番組をさらに容易に探し出したい、という視聴者の要請があった。
【０００７】
そこで、本発明は、上述の課題に鑑みてなされたものであり、視聴したい番組を探し出すのが視聴者にとってより容易となる放送信号受信装置、放送信号受信方法、およびプログラムを提供することを目的とする。
【課題を解決するための手段】
【０００８】
本発明は、上記の課題を解決するために、以下の事項を提案している。
【０００９】
（１）  本発明は、映像データおよび字幕データを含んで構成される放送信号（例えば、後述の放送信号に相当）を受信する放送信号受信装置（例えば、図１の放送信号受信装置１に相当）であって、前記放送信号を受信する１つ以上の表示用受信手段（例えば、図１の表示用チューナー部１１に相当）と、前記放送信号を受信する１つ以上の要約データ用受信手段（例えば、図１の要約データ用チューナー部２１に相当）と、前記表示用受信手段により受信された放送信号に基づいて、表示手段（例えば、図１の出力部５に相当）に画像を表示させる表示制御手段（例えば、図１の表示制御部１３に相当）と、前記要約データ用受信手段により受信された放送信号から、映像データおよび字幕データを取得するデータ取得手段（例えば、図１のＴＳ記憶制御部２２に相当）と、前記データ取得手段により取得された映像データのうち少なくとも一部（例えば、後述の特徴的な静止画に相当）を抽出するとともに、当該データ取得手段により取得された字幕データのうち少なくとも一部（例えば、後述の字幕データに相当）を抽出して、当該抽出した映像データと、当該抽出した字幕データと、を組み合わせて要約データを生成する要約データ生成手段（例えば、図１の要約データ生成部２３に相当）と、を備えることを特徴とする放送信号受信装置を提案している。
【００１０】
この発明によれば、映像データおよび字幕データを含んで構成される放送信号を受信する放送信号受信装置に、１つ以上の表示用受信手段と、１つ以上の要約データ用受信手段と、表示制御手段と、データ取得手段と、要約データ生成手段と、を設けた。そして、１つ以上の表示用受信手段のそれぞれと、１つ以上の要約データ用受信手段のそれぞれとにより、放送信号を受信することとした。また、表示制御手段により、表示用受信手段により受信された放送信号に基づいて、表示手段に画像を表示させることとした。また、データ取得手段により、要約データ用受信手段により受信された放送信号から、映像データおよび字幕データを取得することとした。また、要約データ生成手段により、データ取得手段により取得された映像データのうち少なくとも一部を抽出するとともに、データ取得手段により取得された字幕データのうち少なくとも一部を抽出して、抽出した映像データと、抽出した字幕データと、を組み合わせて要約データを生成することとした。
【００１１】
このため、要約データ用受信手段により受信されている放送信号について、映像データのうち少なくとも一部と、字幕データの少なくとも一部と、を抽出し、これらを組み合わせて要約データを生成することができる。したがって、視聴者は、生成された要約データを参照することで、映像だけでなく字幕も確認して、放送信号に応じた番組を認識することができるので、視聴したい番組をさらに容易に探し出すことができる。
【００１２】
（２）  本発明は、（１）の放送信号受信装置について、前記放送信号は、前記映像データおよび前記字幕データに加えて、当該映像データに関連する関連情報データ（例えば、後述のデータ放送による情報に相当）を含んで構成され、前記データ取得手段は、前記要約データ用受信手段により受信された放送信号から、映像データおよび字幕データに加えて関連情報データを取得し、前記要約データ生成手段は、前記映像データおよび前記字幕データに加えて、前記データ取得手段により取得された関連情報データのうち少なくとも一部を抽出して、当該映像データと、当該字幕データと、当該抽出した関連情報データと、を組み合わせて要約データを生成することを特徴とする放送信号受信装置を提案している。
【００１３】
この発明によれば、放送信号には、映像データおよび字幕データに加えて、映像データに関連する関連情報データが含まれるものとした。そして、データ取得手段により、要約データ用受信手段により受信された放送信号から、映像データおよび字幕データに加えて関連情報データを取得することとした。また、要約データ生成手段により、映像データおよび字幕データに加えて、データ取得手段により取得された関連情報データのうち少なくとも一部を抽出して、映像データと、字幕データと、抽出した関連情報データと、を組み合わせて要約データを生成することとした。
【００１４】
このため、要約データ用受信手段により受信されている放送信号について、映像データおよび字幕データだけでなく、映像データに関連する関連情報データも抽出し、これらを組み合わせて要約データを生成することができる。したがって、視聴者は、生成された要約データを参照することで、映像に関連する関連情報も確認して、放送信号に応じた番組を認識することができるので、視聴したい番組をより一層容易に探し出すことができる。
【００１５】
（３）  本発明は、（１）または（２）の放送信号受信装置について、前記放送信号は、複数のチャンネルのそれぞれごとに異なっており、前記要約データ用受信手段は、前記表示用受信手段により受信されている放送信号とはチャンネルの異なる放送信号を受信することを特徴とする放送信号受信装置を提案している。
【００１６】
この発明によれば、放送信号は、複数のチャンネルのそれぞれごとに異なっているものとした。そして、要約データ用受信手段により、表示用受信手段により受信されている放送信号とはチャンネルの異なる放送信号を受信することとした。
【００１７】
このため、表示手段に画像の表示されているチャンネルとは異なるチャンネルについて、要約データを生成することができる。したがって、視聴者が視聴していないチャンネルについて要約データを生成することができる。
【００１８】
（４）  本発明は、（１）〜（３）のいずれかの放送信号受信装置について、前記放送信号は、複数のチャンネルのそれぞれごとに異なっており、前記要約データ用受信手段は、受信する放送信号のチャンネルを順次変更することを特徴とする放送信号受信装置を提案している。
【００１９】
この発明によれば、放送信号は、複数のチャンネルのそれぞれごとに異なっているものとした。そして、要約データ用受信手段により、受信する放送信号のチャンネルを順次変更することとした。このため、要約データを生成するチャンネルについて、順次切り替えることができる。
【００２０】
（５）  本発明は、（１）〜（４）のいずれかの放送信号受信装置について、前記要約データ生成手段は、予め定められたタイミング（例えば、後述のシーンの変化点に相当）で、前記データ取得手段により取得された映像データから静止画を抽出することを特徴とする放送信号受信装置を提案している。
【００２１】
この発明によれば、要約データ生成手段により、予め定められたタイミングで、データ取得手段により取得された映像データから静止画を抽出することとした。このため、予め定められたタイミングを適切に設定することで、番組の中から特徴的な静止画を抽出することができる。したがって、視聴者は、視聴したい番組をより一層容易に探し出すことができる。
【００２２】
（６）  本発明は、映像データおよび字幕データを含んで構成される放送信号（例えば、後述の放送信号に相当）を受信する放送信号受信方法であって、前記放送信号を受信する第１のステップ（例えば、図１の表示用チューナー部１１により放送信号を受信する処理に相当）と、前記放送信号を受信する第２のステップ（例えば、図１の要約データ用チューナー部２１により放送信号を受信する処理に相当）と、前記第１のステップにおいて受信した放送信号に基づいて、表示手段（例えば、図１の出力部５に相当）に画像を表示させる第３のステップ（例えば、視聴者に視聴選択されているチャンネルで放送中の番組の画像を図１の表示制御部１３により出力部５に出力させる処理に相当）と、前記第２のステップにおいて受信した放送信号から、映像データおよび字幕データを取得する第４のステップ（例えば、図３のステップＳ２３の処理に相当）と、前記第４のステップにおいて取得した映像データのうち少なくとも一部（例えば、後述の特徴的な静止画に相当）を抽出するとともに、当該第４のステップにおいて取得した字幕データのうち少なくとも一部（例えば、後述の字幕データに相当）を抽出して、当該抽出した映像データと、当該抽出した字幕データと、を組み合わせて要約データを生成する第５のステップ（例えば、図３のステップＳ２６およびステップＳ３２の処理に相当）と、を備えることを特徴とする放送信号受信方法を提案している。
【００２３】
この発明によれば、放送信号に基づいて表示手段に画像を表示させるとともに、放送信号から映像データおよび字幕データを取得することとした。そして、取得した映像データのうち少なくとも一部を抽出するとともに、取得した字幕データのうち少なくとも一部を抽出して、抽出した映像データと、抽出した字幕データと、を組み合わせて要約データを生成することとした。このため、上述した効果と同様の効果を奏することができる。
【００２４】
（６）  本発明は、映像データおよび字幕データを含んで構成される放送信号（例えば、後述の放送信号に相当）を受信する放送信号受信方法を、コンピュータに実行させるためのプログラムであって、前記放送信号を受信する第１のステップ（例えば、図１の表示用チューナー部１１により放送信号を受信する処理に相当）と、前記放送信号を受信する第２のステップ（例えば、図１の要約データ用チューナー部２１により放送信号を受信する処理に相当）と、前記第１のステップにおいて受信した放送信号に基づいて、表示手段（例えば、図１の出力部５に相当）に画像を表示させる第３のステップ（例えば、視聴者に視聴選択されているチャンネルで放送中の番組の画像を図１の表示制御部１３により出力部５に出力させる処理に相当）と、前記第２のステップにおいて受信した放送信号から、映像データおよび字幕データを取得する第４のステップ（例えば、図３のステップＳ２３の処理に相当）と、前記第４のステップにおいて取得した映像データのうち少なくとも一部（例えば、後述の特徴的な静止画に相当）を抽出するとともに、当該第４のステップにおいて取得した字幕データのうち少なくとも一部（例えば、後述の字幕データに相当）を抽出して、当該抽出した映像データと、当該抽出した字幕データと、を組み合わせて要約データを生成する第５のステップ（例えば、図３のステップＳ２６およびステップＳ３２の処理に相当）と、をコンピュータに実行させるためのプログラムを提案している。
【００２５】
この発明によれば、プログラムをコンピュータに実行させることで、放送信号に基づいて表示手段に画像を表示させるとともに、放送信号から映像データおよび字幕データを取得することとした。そして、取得した映像データのうち少なくとも一部を抽出するとともに、取得した字幕データのうち少なくとも一部を抽出して、抽出した映像データと、抽出した字幕データと、を組み合わせて要約データを生成することとした。このため、上述した効果と同様の効果を奏することができる。
【発明の効果】
【００２６】
本発明によれば、視聴者は、生成された要約データを参照することで、映像だけでなく字幕も確認して、放送信号に応じた番組を認識することができるので、視聴したい番組をさらに容易に探し出すことができる。
【図面の簡単な説明】
【００２７】
【図１】本発明の一実施形態に係る放送信号受信装置の構成を示すブロック図である。
【図２】前記放送信号受信装置が備えるＴＳ記憶制御部が行うＴＳデータ記憶制御処理のフローチャートである。
【図３】前記放送信号受信装置が備える要約データ生成部が行う要約データ生成処理のフローチャートである。
【図４】出力部における表示例を示す図である。
【発明を実施するための形態】
【００２８】
以下、本発明の実施形態について図面を参照しながら説明する。なお、以下の実施形態における構成要素は適宜、既存の構成要素などとの置き換えが可能であり、また、他の既存の構成要素との組み合せを含む様々なバリエーションが可能である。したがって、以下の実施形態の記載をもって、特許請求の範囲に記載された発明の内容を限定するものではない。
【００２９】
［放送信号受信装置１の構成］
図１は、本発明の一実施形態に係る放送信号受信装置１の構成を示すブロック図である。放送信号受信装置１は、表示用チューナー部１１、デコーダ部１２、表示制御部１３、記憶部１４、要約データ用チューナー部２１、ＴＳ記憶制御部２２、要約データ生成部２３、および要約データ整形部２４を備える。
【００３０】
表示用チューナー部１１は、視聴者により視聴選択されているチャンネルで放送中の番組について、画像および音声を出力部５に出力させるために設けられる。この表示用チューナー部１１は、視聴者により視聴選択されているチャンネルの放送信号を受信して、ＴＳ（Ｔｒａｎｓｐｏｒｔ  Ｓｔｒｅａｍ）データを取得する。
【００３１】
デコーダ部１２は、表示用チューナー部１１で取得されたＴＳデータに対してデコード処理を行って、映像信号および音声信号を抽出する。
【００３２】
表示制御部１３は、デコーダ部１２で抽出された映像信号および音声信号に基づいて、視聴者により視聴選択されているチャンネルで放送中の番組の画像および音声を、出力部５に出力させる。また、表示制御部１３は、ＨＴＭＬ（ＨｙｐｅｒＴｅｘｔ  Ｍａｒｋｕｐ  Ｌａｎｇｕａｇｅ）形式のデータを表示可能なＷｅｂブラウザを搭載しており、要約データ整形部２４によりＨＴＭＬ形式に整えられた要約データに基づいて、視聴者により視聴選択されているチャンネル以外の情報を、Ｗｅｂブラウザを用いて出力部５に出力させる。
【００３３】
要約データ用チューナー部２１は、視聴者により視聴選択されているチャンネル以外で放送中の各番組について、要約データを生成するために設けられる。この要約データ用チューナー部２１は、ＴＳ記憶制御部２２により選択されたチャンネルの放送信号を受信して、ＴＳデータを取得する。
【００３４】
ＴＳ記憶制御部２２は、後述のＴＳデータ記憶制御処理（図２参照）を行って、視聴者により視聴選択されているチャンネル以外を１つずつ選択し、選択したチャンネルのＴＳデータを要約データ用チューナー部２１で取得して記憶部１４に記憶させる。具体的には、例えば、表示用チューナー部１１および要約データ用チューナー部２１が、それぞれ、チャンネル１〜チャンネル５の５つのチャンネルのうちの１つの放送信号を受信でき、表示用チューナー部１１がチャンネル１の放送信号を受信しているものとする。この場合、ＴＳ記憶制御部２２は、チャンネル２〜チャンネル５のそれぞれを予め定められた時間ずつ順次選択する。すると、要約データ用チューナー部２１では、チャンネル２〜チャンネル５のそれぞれのＴＳデータが予め定められた時間ずつ順次取得されるので、ＴＳ記憶制御部２２は、取得されたＴＳデータを記憶部１４に記憶させる。
【００３５】
要約データ生成部２３は、後述の要約データ生成処理（図３参照）を行って、視聴者により視聴選択されているチャンネル以外で放送中の各番組について、記憶部１４からＴＳデータを読み出し、要約データを生成する。
【００３６】
要約データ整形部２４は、要約データ生成部２３により生成された番組ごとの要約データのデータ形式を、ＨＴＭＬ形式に整える。
【００３７】
記憶部１４は、ＴＳデータを記憶する。なお、ＴＳデータを記憶する際には、各チャンネルの番組ごとに区別して、ＴＳデータを記憶する。
【００３８】
［放送信号受信装置１の動作］
図２は、ＴＳ記憶制御部２２が行うＴＳデータ記憶制御処理のフローチャートである。
【００３９】
ステップＳ１において、ＴＳ記憶制御部２２は、予め定められたチャンネルを選択し、ステップＳ２に処理を移す。
【００４０】
ステップＳ２において、ＴＳ記憶制御部２２は、選択したチャンネルへの切り替えを、要約データ用チューナー部２１に指示し、ステップＳ３に処理を移す。これによれば、要約データ用チューナー部２１では、ＴＳ記憶制御部２２により選択されたチャンネルに応じた放送周波数に受信周波数が設定され、このチャンネルの放送信号が受信され、ＴＳデータが取得されることとなる。
【００４１】
ステップＳ３において、ＴＳ記憶制御部２２は、要約データ用チューナー部２１で取得されているＴＳデータが有用であるか否かを判別する。そして、有用であると判別した場合には、ステップＳ５に処理を移し、有用ではないと判別した場合には、ステップＳ４に処理を移す。なお、要約データ用チューナー部２１で取得されているＴＳデータが有用ではないとは、例えば、放送サービス時間外であったり電波の受信状況が悪かったりすることにより正常にＴＳデータを取得できない場合や、ＴＳデータを正常に取得できたがＣＭ（Ｃｏｍｍｅｒｃｉａｌ  Ｍｅｓｓａｇｅ）中である場合のことである。
【００４２】
ステップＳ４において、ＴＳ記憶制御部２２は、選択しているチャンネルを変更し、ステップＳ２に処理を移す。なお、チャンネルの変更においては、例えば、選択していたチャンネルの次にチャンネル番号が大きく、かつ、選択可能なチャンネルを選択してもよい。また、例えば、予め定められた優先度の高い順番に、チャンネルを選択してもよい。なお、予め定められた優先度の高い順番とは、例えば、過去に視聴者が選択したチャンネルの頻度の高い順番や、過去に視聴者が設定した興味のあるチャンネルの順番を、適用することができる。
【００４３】
ステップＳ５において、ＴＳ記憶制御部２２は、要約データ用チューナー部２１で受信されているＴＳデータの記憶部１４への記憶を開始し、ステップＳ６に処理を移す。ここで、ＴＳデータには、ＰＥＳパケットに含まれるＰＴＳ（表示時刻）情報、すなわちタイムレコードが含まれる。このため、このタイムレコードと、取得済みであるＥＰＧ（電子番組情報）と、により、要約データ用チューナー部２１で受信されているＴＳデータがどのチャンネルのどの番組のものなのかを、特定することができる。そこで、ＴＳ記憶制御部２２は、要約データ用チューナー部２１で受信されているＴＳデータを、各チャンネルの番組ごとに区別して、記憶部１４に記憶させる。
【００４４】
ステップＳ６において、ＴＳ記憶制御部２２は、チャンネル更新条件を満たすか否かを判別する。そして、満たすと判別した場合には、ステップＳ７に処理を移し、満たさないと判別した場合には、ステップＳ６の処理を繰り返す。なお、チャンネル更新条件を満たすとは、例えば、ＴＳデータを記憶中であるチャンネルを選択してから予め定められた時間が経過した場合や、ステップＳ５においてＴＳデータの記憶を開始してから予め定められた時間が経過した場合や、ＴＳデータを記憶中であるチャンネルの放送信号の受信が表示用チューナー部１１により開始された場合のことである。また、ステップＳ５においてＴＳデータの記憶を開始してから予め定められた時間としては、要約データ生成部２３において後述のように映像データのデコードを行うために、一般的に約０．５秒間隔で挿入される映像データのイントラフレーム（単独で復号可能な映像フレームデータ）を最低１枚含むように、１秒以上であることが好ましい。
【００４５】
ステップＳ７において、ＴＳ記憶制御部２２は、要約データ用チューナー部２１で受信されているＴＳデータの記憶部１４への記憶を終了し、ステップＳ８に処理を移す。
【００４６】
ステップＳ８において、ＴＳ記憶制御部２２は、ＴＳ記憶終了条件を満たすか否かを判別する。そして、満たすと判別した場合には、ＴＳデータ記憶制御処理を終了し、満たさないと判別した場合には、ステップＳ９に処理を移す。なお、ＴＳ記憶終了条件とは、例えば、放送信号受信装置１の電源を切る操作が視聴者により行われた場合のことである。
【００４７】
ステップＳ９において、ＴＳ記憶制御部２２は、ステップＳ４と同様に、選択しているチャンネルを変更し、ステップＳ２に処理を移す。
【００４８】
以上のＴＳデータ記憶制御処理によれば、要約データ用チューナー部２１で放送信号の受信されるチャンネルが順次切り替わる。そして、放送信号の受信された各チャンネルの番組ごとに、時間の経過に応じて細切れ状にＴＳデータが記憶される。
【００４９】
図３は、要約データ生成部２３が行う要約データ生成処理のフローチャートである。なお、図３では、所定のチャンネルで放送されている番組Ｘについて要約データを生成する場合について、説明している。
【００５０】
ステップＳ２１において、要約データ生成部２３は、変数ｉに初期値として「１」を代入し、ステップＳ２２に処理を移す。
【００５１】
ステップＳ２２において、要約データ生成部２３は、番組Ｘについて記憶されているＴＳデータＴＳｉを記憶部１４から読み出し、ステップＳ２３に処理を移す。これによれば、ＴＳデータ記憶制御処理により記憶されている番組Ｘについての細切れ状のＴＳデータのうち、記憶された時刻の古いものから順に、記憶部１４から読み出されることとなる。
【００５２】
ステップＳ２３において、要約データ生成部２３は、ステップＳ２２において読み出したＴＳデータＴＳｉをデコードして、復号された映像データ、復号された音声データ、復号された字幕データ、およびＢＭＬ（Ｂｒｏａｄｃａｓｔｉｎｇ  Ｍａｒｋｕｐ  Ｌａｎｇｕａｇｅ）データを取得し、ステップＳ２４に処理を移す。
【００５３】
ステップＳ２４において、要約データ生成部２３は、ステップＳ２３において取得した映像データの中から特徴的な静止画を選択し、選択した特徴的な静止画を単位要約データとして、ステップＳ２５に処理を移す。なお、特徴的な静止画とは、例えば、シーンの変化点、すなわち画像の特徴が大きく変化した直後の画像や、映像に同期して再生される音声の信号レベルが急激に上昇した直後の画像のことである。また、映像に同期して再生される音声の信号レベルが急激に上昇した直後の画像とは、例えば、音声の信号レベルが上昇し、上昇した値が予め定められた閾値以上であった直後の画像のことである。また、選択する特徴的な静止画の枚数は、任意である。
【００５４】
ステップＳ２５において、要約データ生成部２３は、ステップＳ２３において取得した字幕データが有用であるか否かを判別する。そして、有用であると判別した場合には、ステップＳ２６に処理を移し、有用ではないと判別した場合には、ステップＳ２７に処理を移す。なお、ステップＳ２３において取得した字幕データが有用ではないとは、例えば、ＴＳデータＴＳｉに字幕データが含まれていなかった場合のことである。
【００５５】
ステップＳ２６において、要約データ生成部２３は、ステップＳ２３において取得した字幕データを単位要約データに付加し、ステップＳ２７に処理を移す。なお、字幕データを単位要約データに付加する際には、ＰＴＳ情報を用いて、字幕データを単位要約データに同期させる。具体的には、ステップＳ２３において字幕データを取得した時刻を時刻ｔ１とすると、この時刻ｔ１において取得した字幕データを、ステップＳ２４において時刻ｔ１より以前に生成した単位要約データに組み合わせる。
【００５６】
ステップＳ２７において、要約データ生成部２３は、ステップＳ２３において取得したＢＭＬデータを復号可能であるか否かを判別する。そして、復号可能であると判別した場合には、ステップＳ２８に処理を移し、復号不可能であると判別した場合には、ステップＳ３０に処理を移す。なお、ＢＭＬデータは、データ放送を符号化したものであり、カルーセル方式により部分的かつ繰り返し受信されるものである。
【００５７】
ステップＳ２８において、要約データ生成部２３は、ステップＳ２３において取得したＢＭＬデータを復号し、復号したＢＭＬデータから特徴的なデータ放送情報を選択し、ステップＳ２９に処理を移す。なお、復号したＢＭＬデータから選択する特徴的なデータ放送情報とは、例えば、「プレゼント」や「あらすじ」といった予め定められたキーワードを含むテキスト文字や、リンクされているＵＲＬ（Ｕｎｉｆｏｒｍ  Ｒｅｓｏｕｒｃｅ  Ｌｏｃａｔｏｒ）の情報のことである。
【００５８】
ステップＳ２９において、要約データ生成部２３は、ステップＳ２８において選択した特徴的なデータ放送情報を単位要約データに付加し、ステップＳ３０に処理を移す。
【００５９】
ステップＳ３０において、要約データ生成部２３は、番組Ｘについて記憶部１４に記憶されている全てのＴＳデータについて、単位要約データを生成したか否かを判別する。そして、生成したと判別した場合には、ステップＳ３２に処理を移し、生成していないと判別した場合には、ステップＳ３１に処理を移す。
【００６０】
ステップＳ３１において、要約データ生成部２３は、変数ｉに１を加算して、ステップＳ２２に処理を移す。
【００６１】
ステップＳ３２において、要約データ生成部２３は、番組Ｘに対して生成した全ての単位要約データを組み合わせて要約データを生成し、要約データ生成処理を終了する。
【００６２】
以上の要約データ生成処理によれば、特徴的な静止画と、字幕データと、特徴的なデータ放送情報と、が組み合わさって、番組Ｘの内容を視聴者が短時間に把握できる要約データが生成される。
【００６３】
図４は、視聴者により視聴選択されているチャンネル以外の情報を出力部５において表示させた表示例を示す図である。出力部５が図４の表示例を表示するに際して、要約データ整形部２４は、要約データ生成部２３により生成された要約データのデータ形式をＨＴＭＬ形式に整える。
【００６４】
図４では、地上デジタル放送のチャンネルで放送されている各番組を要約した要約情報と、ＢＳ放送のチャンネルで放送されている各番組を要約した要約情報と、ＣＳ放送のチャンネルで放送されている各番組を要約した要約情報と、についてタブにより表示を切り替えることができるようになっている。そして、ＢＳ放送のタブが選択され、ＢＳ放送のチャンネルで放送されている各番組を要約した要約情報が表示されている。
【００６５】
さらに、図４では、ＢＳ放送で放送されているチャンネルとしてチャンネルＣｈ．３、Ｃｈ．４、Ｃｈ．５が存在しており、チャンネルＣｈ．３で放送されている『家電ナビゲーター』という番組を要約した情報と、チャンネルＣｈ．４で放送されている『お昼のお楽しみ』という番組を要約した情報と、チャンネルＣｈ．５で放送されている『ベースボール』という番組を要約した情報と、についてタブにより表示を切り替えることができるようになっている。そして、チャンネルＣｈ．３のタブが選択され、『家電ナビゲーター』という番組を要約した情報が表示されている。
【００６６】
ＥＰＧ情報Ｄは、『家電ナビゲーター』の内容および出演者についての情報を示しており、ＥＰＧから取得されたものである。
【００６７】
静止画Ａ１は、１３時１０分２１秒において、要約データ生成部２３により選択された特徴的な静止画である。また、静止画Ａ２は、１３時１０分２５秒において、要約データ生成部２３により選択された特徴的な静止画である。
【００６８】
字幕情報Ｂ１は、要約データ生成部２３により静止画Ａ１に組み合わされた字幕であり、字幕情報Ｂ２は、要約データ生成部２３により静止画Ａ２に組み合わされた字幕である。
【００６９】
データ放送情報Ｃは、要約データ生成部２３により選択された特徴的なデータ放送情報である。
【００７０】
また、視聴者により『更新ボタン』のクリック操作が行われると、表示制御部１３は、要約データ整形部２４によりＨＴＭＬ形式に整えられた要約データの再読み出しを行う。これによれば、出力部５に表示される情報が最新のものに更新されることとなる。
【００７１】
また、視聴者により『視聴ボタン』のクリック操作が行われると、表示制御部１３は、番組を要約した情報の表示されているチャンネルの放送信号を表示用チューナー部１１で受信させる。これによれば、出力部５に画像および音声の出力されるチャンネルが、番組を要約した情報の表示されているチャンネルに切り替えられることとなる。
【００７２】
以上の放送信号受信装置１によれば、以下の効果を奏することができる。
【００７３】
放送信号受信装置１は、出力部５で出力されているチャンネルとは異なるチャンネルで放送されている各番組について、特徴的な静止画および字幕データを抽出し、これらを組み合わせて要約データを生成して、出力部５に出力することができる。このため、視聴者は、静止画だけでなく字幕も確認して、各チャンネルで放送されている番組を認識することができるので、視聴したい番組をさらに容易に探し出すことができる。
【００７４】
また、放送信号受信装置１は、出力部５で出力されているチャンネルとは異なるチャンネルで放送されている各番組について、特徴的な静止画および字幕データに加えて、データ放送による情報も抽出し、これらを組み合わせて要約データを生成して、出力部５に出力することもできる。このため、データ放送による情報も確認して、各チャンネルで放送されている番組を認識することができるので、視聴したい番組をより一層容易に探し出すことができる。
【００７５】
また、放送信号受信装置１は、チャンネル更新条件を満たすたびに、要約データを生成するために記憶部１４に記憶させるＴＳデータのチャンネルを変更する。このため、出力部５で出力可能なチャンネルで放送されている各番組について、順次、要約データを生成することができる。
【００７６】
以上、この発明の実施形態につき、図面を参照して詳述してきたが、具体的な構成はこの実施形態に限られるものではなく、この発明の要旨を逸脱しない範囲の設計なども含まれる。
【００７７】
例えば、上述の実施形態では、要約データ生成部２３は、ステップＳ２４において特徴的な静止画を選択するものとしたが、これに限らず、特徴的な動画像を選択してもよい。
【００７８】
また、上述の実施形態において、表示用チューナー部１１は、１つ設けられるものとしたが、これに限らず、２つ設けたり３つ設けたりしてもよい。要約データ用チューナー部２１についても表示用チューナー部１１と同様に、２つ設けたり３つ設けたりしてもよい。
【００７９】
また、上述の実施形態において、図３の要約データ生成処理では、ステップＳ２５、Ｓ２６の処理を行った後に、ステップＳ２７〜Ｓ２９の処理を行うこととしたが、これに限らず、ステップＳ２７〜Ｓ２９の処理を行った後に、ステップＳ２５、Ｓ２６の処理を行ってもよい。
【符号の説明】
【００８０】
１・・・放送信号受信装置
５・・・出力部
１１・・・表示用チューナー部
１２・・・デコーダ部
１３・・・表示制御部
１４・・・記憶部
２１・・・要約データ用チューナー部
２２・・・ＴＳ記憶制御部
２３・・・要約データ生成部
２４・・・要約データ整形部
【図１】
2012216974.tif 000003
【図２】
2012216974.tif 000004
【図３】
2012216974.tif 000005
【図４】
2012216974.tif 000006